【手続補正書】
【提出日】平成26年9月1日(2014.9.1)
【手続補正１】
【補正対象書類名】特許請求の範囲
【補正対象項目名】全文
【補正方法】変更
【補正の内容】
【特許請求の範囲】
【請求項１】
第１電極パターンと、
前記第１電極パターンは交差する複数の金属細線による複数の格子で構成され、第１方向に延びる複数の第１導電パターンと、前記複数の第１導電パターンと電気的に分離された複数の第１非導電パターンとを交互に備え、
前記第１電極パターンと対向配置された第２電極パターンを備え、
前記第２電極パターンは交差する複数の金属細線による複数の格子で構成され、前記第１方向と直交する第２方向に延びる複数の第２導電パターンと、前記複数の第２導電パターンと電気的に分離された複数の第２非導電パターンとを交互に備え、
上面視において、前記複数の第１導電パターンと複数の第２導電パターンとが略直交するように、かつ前記第１電極パターンの前記格子と前記第２電極パターンの前記格子により小格子を形成するよう、前記第１電極パターンと前記第２電極パターンとが配置され、
前記各第１導電パターンは、少なくともその内部に前記第１導電パターンと電気的に分離された前記第１方向に延在するスリット状の非導通パターンを備え、前記各第１導電パターンは前記各非導通パターンにより分割される複数の第１導電パターン列を有し、
前記各第２導電パターンは短冊形状を有する導電シート。
【請求項２】
第１電極パターンと、
前記第１電極パターンは交差する複数の金属細線による複数の格子で構成され、第１方向に延びる複数の第１導電パターンと、前記複数の第１導電パターンと電気的に分離された複数の第１非導電パターンとを交互に備え、
前記第１電極パターンと対向配置された第２電極パターンを備え、
前記第２電極パターンは交差する複数の金属細線による複数の格子で構成され、前記第１方向と直交する第２方向に延びる複数の第２導電パターンと、前記複数の第２導電パターンと電気的に分離された複数の第２非導電パターンとを交互に備え、
上面視において、前記複数の第１導電パターンと複数の第２導電パターンとが略直交するように、かつ前記第１電極パターンの前記格子と前記第２電極パターンの前記格子により小格子を形成するよう、前記第１電極パターンと前記第２電極パターンとが配置され、
前記第１導電パターンは第１方向に沿う非導通パターンを所定間隔で備えることで周期的に交差するＸ字状の構造を有し、
前記各第２導電パターンは短冊形状を有する導電シート。
【請求項３】
前記複数の格子が略均一な形状である請求項１又は２記載の導電シート。
【請求項４】
前記第１非導電パターン及び前記第２非導電パターンは前記金属細線の交差部以外に第１断線部及び第２断線部を有し、前記第１断線部及び前記第２断線部が前記交差部と前記交差部の略中央付近に位置し、
前記第１断線部及び前記第２断線部の幅が前記金属細線の線幅を超え、５０μｍ以下である請求項１から３のいずれか１項に記載の導電シート。
【請求項５】
上面視において、前記第１非導電パターンの第１断線部に前記第２導電パターンの前記金属細線を位置させ、前記第２非導電パターンの第２断線部に前記第１導電パターンの前記金属細線を位置させる請求項１から４のいずれか１項に記載の導電シート。
【請求項６】
前記第１電極パターンの前記格子と前記第２電極パターンの前記格子とは、２５０μｍ〜９００μｍの長さの一辺を有し、前記小格子は１２５μｍ〜４５０μｍの長さの一辺を
有する請求項１から５のいずれか１項に記載の導電シート。
【請求項７】
前記第１電極パターンを構成する前記金属細線と前記第２電極パターンを構成する前記金属細線とは、３０μｍ以下の線幅を有する請求項１から６のいずれか１項に記載の導電シート。
【請求項８】
前記第１電極パターンの前記格子と前記第２電極パターンの前記格子とは、ひし形状の形状を有する請求項１から７のいずれか１項に記載の導電シート。
【請求項９】
第１の主面を有する基体と、
前記第１の主面に配置される第１電極パターンを備え、
前記第１電極パターンは交差する複数の金属細線による複数の格子で構成され、第１方向に延びる複数の第１導電パターンを備え、
前記各第１導電パターンは、少なくともその内部に前記第１導電パターンと電気的に分離された前記第１方向に延在するスリット状の非導通パターンを備え、前記各第１導電パターンは前記各非導通パターンにより分割される複数の第１導電パターン列を有する導電シート。
【請求項１０】
第１の主面を有する基体と、
前記第１の主面に配置される第１電極パターンを備え、
前記第１電極パターンは交差する複数の金属細線による複数の格子で構成され、第１方向に延びる複数の第１導電パターンと、
前記第１方向に沿う非導通パターンを所定間隔で備えることで周期的に交差するＸ字状の構造を有する導電シート。
【請求項１１】
前記第１導電パターン列の幅と前記非導通パターンの幅とが実質的に等しい請求項１に記載の導電シート。
【請求項１２】
前記第１導電パターン列の幅が前記非導通パターンの幅より狭い請求項１に記載の導電シート。
【請求項１３】
前記第１導電パターン列の幅が前記非導通パターンの幅より広い請求項１に記載の導電シート。
【請求項１４】
複数の前記第１導電パターン列を電気的に接続する連結部を有する請求項１１から１３のいずれか１項に記載の導電シート。
【請求項１５】
前記第１導電パターン列の本数が１０本以下である請求項１に記載の導電シート。
【請求項１６】
前記非導通パターンは複数の辺で囲まれており、前記辺は、前記格子を構成する辺同士を接続させて前記複数の格子を直線状に配列して構成される請求項２に記載の導電シート。
【請求項１７】
前記非導通パターンは複数の辺で囲まれており、前記辺は、前記格子を構成する辺同士を接続させて前記複数の格子を直線状に複数配列させて構成される請求項２に記載の導電シート。
【請求項１８】
前記非導通パターンは複数の辺で囲まれており、前記辺のいくつかは、前記格子を構成する辺同士を接続させて前記複数の格子を直線状に配列して構成され、前記辺の他は前記格子を構成する頂角同士を接続させて前記複数の格子を直線状に配列して構成される請求項２に記載の導電シート。
【請求項１９】
前記複数の格子で構成される前記辺により確定される複数の前記非導通パターンは前記格子の頂角同士を接続することで前記第１方向に沿うよう配列される請求項１６から１８のいずれか１項に記載の導電シート。
【請求項２０】
前記第１方向に沿って隣接する前記非導通パターンは、互いに異なる形状を有する請求項１６から１９のいずれか１項に記載の導電シート。
【請求項２１】
前記非導通パターンを確定するための前記辺を構成する複数の前記格子は、更に金属細線で構成される突出配線を有する請求項１９又は２０に記載の導電シート。
【請求項２２】
前記第１導電パターンは前記非導通パターンを所定間隔で備えることで、周期的な交差部に前記格子を有さないＸ字状の構造を有する請求項１９から２１のいずれか１項に記載の導電シート。
【請求項２３】
前記第１導電パターンの前記第１方向に沿って隣接する前記非導通パターンは、互いに同じ形状を有し、かつ隣接する前記第１導電パターン間においては、前記非導通パターンが互いに異なる形状を有する請求項１９から２２のいずれか１項に記載の導電シート。
【請求項２４】
請求項１から２３のいずれか１項に記載の導電シートを有するタッチパネル。